(57)【特許請求の範囲】
【請求項１】
被洗浄物を収容して液体を用いて洗浄する洗浄槽本体と、
この洗浄槽本体の開口部を開閉する開き戸状のドアであり、前記洗浄槽本体の開口部の一端側にドア基端部が回動自在に保持されたドアと、
ドア先端部の外面に設けられて、ドア面と直交方向へ沿う軸まわりに設定範囲を回動可能で、ドア開放可能位置とドア閉鎖締付位置とを切り替えるハンドルと、
前記洗浄槽本体の開口部の他端側に設けられ、ロック穴を有するロック穴保有材と、
前記ロック穴に進退可能にはめ込まれるロックピンと、
前記ロックピンを前記ロック穴に突入する方向に付勢する付勢部材と、
この付勢部材の付勢力に対抗して、前記ロック穴から前記ロックピンを後退させるロックピン離脱手段と、
前記ロック穴への前記ロックピンの突入を防止するロック防止板と、
前記ドアを閉じた状態で前記ハンドルをドア閉鎖締付位置まで回すことで、前記ロック防止板を移動させて、前記ロック穴への前記ロックピンの突入を許容し、前記ロック穴に突入された前記ロックピンによりドア開放可能位置への戻りが防止されるロック防止板可動材と
を備えることを特徴とする洗浄器。
【請求項２】
前記ロック穴への前記ロックピンの突入状態の有無を検知するハンドルロック検知手段をさらに備え、
このハンドルロック検知手段による前記ロック穴への前記ロックピンの突入状態の検知を条件に、前記洗浄槽内の被洗浄物の洗浄運転を開始する
ことを特徴とする請求項１に記載の洗浄器。
【請求項３】
前記ドアには、前記ハンドルの回動操作により、ドアの幅方向に可動する締付バーが設けられ、
この締付バーは、前記ハンドルがドア開放可能位置にある際には、ドアの幅方向内側への後退位置にある一方、前記ハンドルがドア閉鎖締付位置とされた際には、ドアの幅方向外側に突出して、前記洗浄槽本体の側に設けたバー嵌合穴に突入し、
前記バー嵌合穴への前記締付バーの突入状態の有無を検知するドアロック検知手段をさらに備え、
前記ハンドルロック検知手段による前記ロック穴への前記ロックピンの突入状態の検知と、前記ドアロック検知手段による前記バー嵌合穴への前記締付バーの突入状態の検知とを条件に、前記洗浄槽内の被洗浄物の洗浄運転を開始する
ことを特徴とする請求項１または請求項２に記載の洗浄器。
【請求項４】
前記洗浄槽内に設けられて前記洗浄槽内の被洗浄物へ液体を噴射する洗浄ノズルと、前記洗浄槽内の下部に連接された液貯留部と、この液貯留部への給水手段と、前記液貯留部からの排水手段と、前記液貯留部の液体を前記洗浄ノズルへ循環供給する循環手段と、前記液貯留部内の液体の有無または水位を検知する水位検出器と、前記各手段を制御して前記給水手段により前記液貯留部に貯留した水を前記循環手段により前記洗浄ノズルから噴射して前記被洗浄物を洗浄する制御手段とを備え、
前記水位検出器により前記液貯留部内に液体を検知中、および／または、前記循環手段が作動中、前記ロックピン離脱手段を作動不能とする
ことを特徴とする請求項１〜３のいずれか１項に記載の洗浄器。
【請求項５】
前記洗浄槽本体には、略矩形状の前記開口部が形成されており、その下端部まわりに回動可能に、前記ドアが設けられ、
本体部に対しプランジャが進退可能に設けられ、通電されることで前記プランジャを前記本体部へ引き込むソレノイドと、
長手方向中途部が上下方向に沿う支軸に保持されて、その支軸まわりに揺動可能とされ、一端部に前記ロックピンが設けられる一方、他端部に第一コイルバネを介して前記ソレノイドのプランジャが接続される揺動材と、
前記ロックピンが前記ロック穴に突入する方向に、前記揺動材を付勢する前記付勢部材としての第二コイルバネと
を備えることを特徴とする請求項１〜４のいずれか１項に記載の洗浄器。
【発明の詳細な説明】
【技術分野】
【０００１】
本発明は、液体を用いて被洗浄物を洗浄する洗浄器に関するものである。
【背景技術】
【０００２】
従来、下記特許文献１に開示されるように、チャンバ（３）内にスプレー・アーム（８）を回転自在に設け、そのスプレー・アーム（８）のノズルから被洗浄物に液体を噴射して、被洗浄物の洗浄や消毒を図る洗浄器が知られている。この装置では、スプレー・アーム（８）から噴射された液体は、チャンバ（３）下部の収集スペース（１０）に集められ、循環ポンプ（１２）により循環パイプ（１６）を介してスプレー・アーム（８）へ循環供給される。
【０００３】
この種の洗浄器では、洗浄槽内で液体を扱う関係上、運転中には、ドアを閉鎖締付位置（つまりドアを閉鎖して洗浄槽本体に係止して固定した締切状態）に維持する必要がある。そこで、ハンドル操作でドアの締付（閉鎖状態での固定）を行う洗浄器の場合、ハンドルがドア閉鎖締付位置にあることを、たとえばリミットスイッチで検知し、その検知を条件に運転を開始でき、運転中にはハンドル操作をロックすることが考えられる。
【０００４】
しかしながら、万一、リミットスイッチが故障して、ハンドルがドア閉鎖締付位置にあることを検知したままになると、ドアが閉鎖締付位置にない状態でも運転を開始でき、ドア開放部からの漏水につながることになる。
【先行技術文献】
【特許文献】
【０００５】
【特許文献１】特許第４８８６８４７号公報
【発明の概要】
【発明が解決しようとする課題】
【０００６】
本発明が解決しようとする課題は、ハンドルをドア閉鎖締付位置にすることで、ハンドルひいてはドアを洗浄槽本体に機械的にロックし、ハンドルがドア閉鎖締付位置にあることを確実に担保して運転できる洗浄器を提供することにある。
【課題を解決するための手段】
【０００７】
本発明は、前記課題を解決するためになされたもので、請求項１に記載の発明は、被洗浄物を収容して液体を用いて洗浄する洗浄槽本体と、この洗浄槽本体の開口部を開閉する開き戸状のドアであり、前記洗浄槽本体の開口部の一端側にドア基端部が回動自在に保持されたドアと、ドア先端部の外面に設けられて、ドア面と直交方向へ沿う軸まわりに設定範囲を回動可能で、ドア開放可能位置とドア閉鎖締付位置とを切り替えるハンドルと、前記洗浄槽本体の開口部の他端側に設けられ、ロック穴を有するロック穴保有材と、前記ロック穴に進退可能にはめ込まれるロックピンと、前記ロックピンを前記ロック穴に突入する方向に付勢する付勢部材と、この付勢部材の付勢力に対抗して、前記ロック穴から前記ロックピンを後退させるロックピン離脱手段と、前記ロック穴への前記ロックピンの突入を防止するロック防止板と、前記ドアを閉じた状態で前記ハンドルをドア閉鎖締付位置まで回すことで、前記ロック防止板を移動させて、前記ロック穴への前記ロックピンの突入を許容し、前記ロック穴に突入された前記ロックピンによりドア開放可能位置への戻りが防止されるロック防止板可動材とを備えることを特徴とする洗浄器である。
【０００８】
請求項１に記載の発明によれば、ドアを閉じた状態でハンドルをドア閉鎖締付位置まで回すことで、ロック防止板可動材がロック防止板を移動させて、ロック穴へのロックピンの突入を許容する。一方、ロックピンは、付勢部材によりロック穴に突入する方向に付勢されているので、ハンドル操作によりロック防止板可動材が移動して、ロック穴へのロックピンの突入を許容されると、ロックピンがロック穴に突入してロックされる。そして、その状態では、ロック防止板可動材ひいてはハンドルは、ロックピンにより移動を機械的に規制され、ドア開放可能位置へ戻すことが防止される。このように、ハンドルをドア閉鎖締付位置にすることで、ハンドルひいてはドアを洗浄槽本体に機械的にロックし、ハンドルがドア閉鎖締付位置にあることを確実に担保して運転することができる。従って、洗浄器の運転中、洗浄槽内の液体が、外部へ漏れ出るおそれがない。なお、ロック状態を解除するには、ロックピン離脱手段により、付勢部材の付勢力に対抗して、ロック穴からロックピンを後退させた状態で、ハンドルをドア開放可能位置まで回せばよい。
【０００９】
請求項２に記載の発明は、前記ロック穴への前記ロックピンの突入状態の有無を検知するハンドルロック検知手段をさらに備え、このハンドルロック検知手段による前記ロック穴への前記ロックピンの突入状態の検知を条件に、前記洗浄槽内の被洗浄物の洗浄運転を開始することを特徴とする請求項１に記載の洗浄器である。
【００１０】
請求項２に記載の発明によれば、ハンドルロック検知手段によるロック穴へのロックピンの突入状態の検知を条件に、洗浄槽内の被洗浄物の洗浄運転を開始するので、ドアが開いている状態で運転が開始されることが確実に防止される。
【００１１】
請求項３に記載の発明は、前記ドアには、前記ハンドルの回動操作により、ドアの幅方向に可動する締付バーが設けられ、この締付バーは、前記ハンドルがドア開放可能位置にある際には、ドアの幅方向内側への後退位置にある一方、前記ハンドルがドア閉鎖締付位置とされた際には、ドアの幅方向外側に突出して、前記洗浄槽本体の側に設けたバー嵌合穴に突入し、前記バー嵌合穴への前記締付バーの突入状態の有無を検知するドアロック検知手段をさらに備え、前記ハンドルロック検知手段による前記ロック穴への前記ロックピンの突入状態の検知と、前記ドアロック検知手段による前記バー嵌合穴への前記締付バーの突入状態の検知とを条件に、前記洗浄槽内の被洗浄物の洗浄運転を開始することを特徴とする請求項１または請求項２に記載の洗浄器である。
【００１２】
請求項３に記載の発明によれば、ドア側の締付バーが洗浄槽本体側のバー嵌合穴に突入することによっても、ドアが閉鎖締付位置に保持される。そして、ハンドルロック検知手段によるロック穴へのロックピンの突入状態の検知と、ドアロック検知手段によるバー嵌合穴への締付バーの突入状態の検知とを条件に、洗浄槽内の被洗浄物の洗浄運転を開始するので、ドアが開いている状態で運転が開始されることが一層確実に防止される。
【００１３】
請求項４に記載の発明は、前記洗浄槽内に設けられて前記洗浄槽内の被洗浄物へ液体を噴射する洗浄ノズルと、前記洗浄槽内の下部に連接された液貯留部と、この液貯留部への給水手段と、前記液貯留部からの排水手段と、前記液貯留部の液体を前記洗浄ノズルへ循環供給する循環手段と、前記液貯留部内の液体の有無または水位を検知する水位検出器と、前記各手段を制御して前記給水手段により前記液貯留部に貯留した水を前記循環手段により前記洗浄ノズルから噴射して前記被洗浄物を洗浄する制御手段とを備え、前記水位検出器により前記液貯留部内に液体を検知中、および／または、前記循環手段が作動中、前記ロックピン離脱手段を作動不能とすることを特徴とする請求項１〜３のいずれか１項に記載の洗浄器である。
【００１４】
請求項４に記載の発明によれば、洗浄槽内で被洗浄物に液体を噴射して洗浄する洗浄器において、ハンドルをドア閉鎖締付位置にすることで機械的にロックし、ハンドルがドア閉鎖締付位置にあることを確実に担保して運転することができる。また、液貯留部内に液体があるか、および／または、循環手段が作動中であるときには、ロックピン離脱手段を作動不能とすることで、ドア閉鎖締付状態が不意に解除されるのが防止される。
【００１５】
さらに、請求項５に記載の発明は、前記洗浄槽本体には、略矩形状の前記開口部が形成されており、その下端部まわりに回動可能に、前記ドアが設けられ、本体部に対しプランジャが進退可能に設けられ、通電されることで前記プランジャを前記本体部へ引き込むソレノイドと、長手方向中途部が上下方向に沿う支軸に保持されて、その支軸まわりに揺動可能とされ、一端部に前記ロックピンが設けられる一方、他端部に第一コイルバネを介して前記ソレノイドのプランジャが接続される揺動材と、前記ロックピンが前記ロック穴に突入する方向に、前記揺動材を付勢する前記付勢部材としての第二コイルバネとを備えることを特徴とする請求項１〜４のいずれか１項に記載の洗浄器である。
【００１６】
請求項５に記載の発明によれば、支軸に保持された揺動材の一端部にロックピンを設ける一方、他端部に第一コイルバネを介してソレノイドのプランジャを接続し、且つ、ロックピンがロック穴に突入する方向に、第二コイルバネで揺動材を付勢する。そして、ソレノイドに通電することで、プランジャを引き込んで、ロック穴からロックピンを抜くことができる。このような簡易な構成により、ハンドルの機械的ロックとその解除とを容易に行うことができる。
【発明の効果】
【００１７】
本発明の洗浄器によれば、ハンドルをドア閉鎖締付位置にすることで、ハンドルひいてはドアを洗浄槽本体に機械的にロックし、ハンドルがドア閉鎖締付位置にあることを確実に担保して運転することができる。
【図面の簡単な説明】
【００１８】
【図１】本発明の一実施例の洗浄器を示す概略斜視図である。
【図２】図１の洗浄器のドアおよびそのハンドルの各ロック機構を示す正面視の概略縦断面図であり、閉鎖状態のドアの先端部付近を示すと共に一部を切り欠いて示している。
【図３】図２の要部拡大図である。
【図４】図２の平面視横断面図であり、ドア開放可能位置を示している。
【図５】図２の平面視横断面図であり、ドア閉鎖締付位置を示している。
【発明を実施するための形態】
【００１９】
以下、本発明の具体的実施例を図面に基づいて詳細に説明する。
図１は、本発明の一実施例の洗浄器１を示す概略斜視図である。また、図２から図５は、図１の洗浄器１のドア２およびそのハンドル３の各ロック機構を示す概略図であり、閉鎖状態のドア２の先端部付近を示すと共に一部を切り欠いて示しており、図２は正面視縦断面図、図３は図２の要部拡大図、図４はドア開放可能位置での平面視横断面図、図５はドア閉鎖締付位置での平面視横断面図である。
【００２０】
図１、図２および図４に示すように、本実施例の洗浄器１は、被洗浄物を収容する洗浄槽本体４と、この洗浄槽本体４の開口部４ａを開閉するドア２とを備える。洗浄槽本体４とドア２とで洗浄槽が構成される。詳細は後述するが、本実施例の洗浄器１は、洗浄槽内に被洗浄物を収容して、液体を用いて被洗浄物を洗浄する。
【００２１】
洗浄槽本体４は、被洗浄物が収容される中空容器であり、本実施例では、略矩形の中空ボックス状である。洗浄槽本体４の正面には、略矩形の開口部４ａが形成されており、この開口部４ａがドア２で開閉可能とされる。ドア２を開けることで、洗浄槽本体４に被洗浄物（またはそれを載せたラック）を出し入れすることができ、ドア２を閉じることで、洗浄槽本体４の開口部４ａを気密に閉じることができる。なお、図１において、洗浄器１は、ドア２の開閉部を除き、化粧パネル５で覆われている。化粧パネル５で覆われた空間には、詳細は後述するが、洗浄槽本体４以外に、洗浄動作を実行するための各種要素（たとえば循環ポンプや薬液タンクなど）が収容されている。
【００２２】
図２および図４に示すように、本実施例では、正面視において、洗浄槽本体４の大きさは、ドア２と同じかドア２より大きく、洗浄槽本体４の開口部４ａの大きさは、ドア２より小さい。そして、図４に示すように、洗浄槽本体４の正面（手前側）には、開口部４ａを取り囲むように、略矩形枠状に戸当たり部４ｂが形成されており、この戸当たり部４ｂには、周方向に沿って連続的にパッキン６が設けられている。ドア２を閉じた際、ドア２がパッキン６を介して戸当たり部４ｂで位置決めされ、洗浄槽本体４とドア２との隙間が、パッキン６で封止される。
【００２３】
ドア２は、略矩形の板状に形成され、洗浄槽本体４の開口部４ａを開閉する。この際、本実施例では、洗浄槽本体４の下端部に、ドア２の基端部が、左右方向へ沿う軸まわりに回動自在に保持される。図１において、実線で示すように、ドア２の先端部を上方へ向けて、ドア２を略垂直に立てることで、洗浄槽本体４の開口部４ａを閉じることができる。一方、図１において、二点鎖線で示すように、ドア２の先端部を手前側へ向けて、ドア２を略水平に倒すことで、洗浄槽本体４の開口部４ａを開くことができる。なお、洗浄槽本体４とドア２とは、好ましくはガススプリング（図示省略）で連結されており、このガススプリングにより、ドア２の開放時の必要以上の倒れ込みが防止される。
【００２４】
図２および図４に示すように、本実施例のドア２は、表面板２ａと裏面板２ｂなどを組み合わせて構成され、全体として略矩形の板状に形成される。なお、図１および図２に示すように、ドア２を閉めた際にも、洗浄槽内を外部から視認可能に、ドア２の中央部には透明ガラス７が組み込まれるのが好ましい。
【００２５】
ドア２の先端部の幅方向中央部には、外面（表面板）側に突出して、ハンドル３が設けられる。ハンドル３は、その形状を特に問わないが、図示例では略Ｌ字形状に屈曲された棒材を備え、その一片３ａがドア面と直交して配置されると共にドア２内に突入して設けられ、他片３ｂがドア面と平行に配置されると共に表面板２ａと離隔して配置される。ハンドル３の一片３ａは、ハンドル３を回転させる際の軸となり、ハンドル３の他片３ｂは、ハンドル３を操作する際の把持部（把手）となる。
【００２６】
ハンドル３は、ドア面と直交方向へ沿う軸３ａまわりに、設定範囲を回動可能とされる。具体的には、本実施例では、ハンドル３は、図２の二点鎖線および図４に示すように、把持部３ｂを水平に向けた（言い換えれば前記軸３ａに対し把持部３ｂを右側へ延出させた）ドア開放可能位置と、図２の実線および図５に示すように、把持部３ｂを垂直に向けた（言い換えれば前記軸３ａに対し把持部３ｂを下方へ延出させた）ドア閉鎖締付位置との間を、回動可能とされる。
【００２７】
ドア２内には、ハンドル３の操作で可動する締付バー８が、ドア２の幅方向へ沿って設けられている。具体的には、図２に示すように、ドア２内には、ハンドル３の軸３ａが突入されて保持される保持ボックス９が固定されており、この保持ボックス９の左右から延出して、締付バー８が設けられている。左右の締付バー８は、細長い丸棒状とされ、先端部が略円錐台状に先細りに形成されている。各締付バー８は、中途部がドア２内に固定の保持ブロック１０を、進退可能に貫通して保持されており、先端部がドア２の側端面（幅方向外側端面）の穴から出没可能とされている。保持ボックス９内には、ハンドル３の操作で締付バー８を進退させる機構が内蔵されており、ハンドル３の回動により締付バー８が左右方向に移動する。具体的には、図４に示すように、ハンドル３がドア開放可能位置にある際には、締付バー８は、ドア２の幅方向内側へ後退して、ドア２の側端面から突出しない。一方、図５に示すように、ハンドル３がドア閉鎖締付位置とされた際には、締付バー８は、ドア２の幅方向外側に突出して、ドア２の側端面から突出する。
【００２８】
洗浄槽本体４の側には、図２および図４に示すように、ドア２を閉じた状態（以下、特に断らない限り、ドア２を閉じた状態とは、ドア開放可能位置かドア閉鎖締付位置かを問わない。）で、締付バー８が出没して係脱可能なバー受け材１１が設けられている。図示例の場合、洗浄槽本体４の手前側左右両端部には、縦枠１２が設けられており、ドア２を閉じた際、左右の縦枠１２間にドア２が受け入れられる。そして、左右の縦枠１２内には、それぞれ、締付バー８と対応する高さに、バー受け材１１が設けられる。バー受け材１１は、略矩形板状の水平片１１ａと垂直片１１ｂとを備える（図４）。但し、水平片１１ａと垂直片１１ｂとは、一体で構成される以外に、別体で構成されてもよい。また、バー受け材１１（特に垂直片１１ｂ）は、縦枠１２の一部として構成されてもよい。
【００２９】
ドア２を閉じた状態で、バー受け材１１の垂直片１１ｂは、ドア２の側端面と隣接して且つ対面して配置される。バー受け材１１の垂直片１１ｂには、締付バー８と対応した高さに、締付バー８がはめ込み可能なバー嵌合穴１１ｃが貫通形成されている。ドア２を閉じた状態で、ハンドル３をドア閉鎖締付位置まで回すと、左右の締付バー８がバー受け材１１のバー嵌合穴１１ｃに突入する。バー嵌合穴１１ｃに締付バー８がはめ込まれることで、ドア２を締切状態に維持、つまりドア２を洗浄槽本体４にロックすることができる。
【００３０】
一方、バー受け材１１の水平片１１ａは、垂直片１１ｂのバー嵌合穴１１ｃよりも下方位置において、縦枠１２に水平に固定されている。そして、その水平片１１ａには、バー嵌合穴１１ｃへの締付バー８の突入状態の有無を検知するドアロック検知手段（１３）が設けられている。ドアロック検知手段は、特に問わないが、本実施例ではリミットスイッチ１３から構成される。図４に示すように、ハンドル３がドア開放可能位置にあると、ドア２の側端面から締付バー８は突出せず、リミットスイッチ１３のレバー１３ａは押し込まれていない。一方、図５に示すように、ハンドル３をドア閉鎖締付位置にすると、ドア２の側端面から締付バー８が突出してバー嵌合穴１１ｃにはめ込まれ、締付バー８の先端部によりリミットスイッチ１３のレバー１３ａが押し込まれる。このようにして、リミットスイッチ１３により、バー嵌合穴１１ｃへの締付バー８の突入状態の有無を検知することができる。
【００３１】
以上のようにして、ハンドル３の操作より締付バー８を可動して、洗浄槽本体４にドア２をロックすることができるが、本実施例の洗浄器１は、このようなドア２のロック機構に加えて、ハンドル３のロック機構も備える。ハンドル３のロック機構は、ハンドル３をドア閉鎖締切位置に保持する機構である。以下、ハンドル３のロック機構について具体的に説明する。
【００３２】
ハンドル３のロック機構は、ドア２を閉じた状態において、ドア２の先端部（図示例では上端部）の側に設けられる。図３および図４に示すように、ドア２を閉じた状態で、ドア２の先端面（上端面）より若干上方位置には、洗浄槽本体４側に基板１４が水平に固定されている。本実施例では、基板１４は、少なくとも洗浄槽本体４の幅方向中央部に設けられ、ドア２を閉じた状態で、ドア２の先端面と近接して且つ対面して配置され、またドア２の裏面板２ｂよりも後方へ延出して設けられる。なお、洗浄槽本体４の正面上部に横枠を設けて、この横枠と前記縦枠１２とでドア２を受け入れるドア枠を構成する場合、横枠の下片を前記基板１４として用いることができるし、横枠に基板１４を設けてもよい。
【００３３】
基板１４上には、板状のロック穴保有材１５が、基板１４に対し垂直に設けられる。本実施例では、図４に示すように、ロック穴保有材１５は、平面視において略Ｌ字形状材から形成され、第一片１５ａを左右方向へ沿って配置する一方、第二片１５ｂを前後方向へ沿って配置している。但し、ロック穴保有材１５は、少なくとも第一片１５ａを備えれば足りる。また、ロック穴保有材１５と基板１４とを一つの部材で形成してもよい。いずれにしても、ロック穴保有材１５は、第一片１５ａが略矩形板状に形成され、その板面を前後に向けて基板１４上に固定されている。そして、ロック穴保有材１５には、円形状のロック穴１５ｃが、板面と垂直に（つまり前後方向へ沿って）貫通形成されている。
【００３４】
ロック穴１５ｃには、ロックピン１６が進退可能にはめ込まれる。ロックピン１６は、付勢部材（１７）によりロック穴１５ｃに突入する方向に付勢されると共に、その付勢力に対抗してロックピン離脱手段（１８）によりロック穴１５ｃから後退可能とされる。詳細は後述するが、本実施例では、付勢部材としてコイルバネ（第二コイルバネ）１７が用いられ、ロックピン離脱手段としてソレノイド１８が用いられる。
【００３５】
ロックピン１６を進退させる構造について、より具体的に説明すると、まず、基板１４上には、ロック穴保有材１５よりも後方に、揺動材１９が設けられている。揺動材１９は、左右に細長い板材から構成され、水平に保持されている。その際、揺動材１９は、長手方向中途部において、支軸２０にて基板１４上に保持される。支軸２０は、上下方向に沿う部材であり、下端部が基板１４に固定され、上端部に揺動材１９が水平方向に回動自在に保持される。
【００３６】
揺動材１９は、一端部にロックピン１６が設けられる一方、他端部は第一コイルバネ２１を介してソレノイド１８に接続される。ロックピン１６は、前後方向へ沿って配置された棒材（典型的には丸棒）から形成され、後端部が揺動材１９に取付ピン２２を介して保持され、前端部を前方へ向けて配置される。なお、図４に示すように、基板１４上には平面視略Ｌ字形状のガイド材２３が固定されており、このガイド材２３は、左右方向に沿う一片２３ａにガイド穴２３ｂが形成され、前後方向へ沿う他片２３ｃに長穴２３ｄが形成されている。ガイド材２３には、長穴２３ｄに揺動材１９が貫通して通され、ガイド穴２３ｂにロックピン１６が貫通して通される。ロックピン１６は、後端部が取付ピン２２で揺動材１９に対し揺動可能に保持され、ガイド穴２３ｂに進退可能にはめ込まれる。これにより、ロックピン１６は、揺動材１９の揺動に伴い、ガイド穴２３ｂに案内されつつ前後方向へ可動する。そして、ロックピン１６は、前方へ移動した際、前端部がロック穴１５ｃに突入可能とされ、後方へ移動した際、前端部がロック穴１５ｃから離脱可能とされる。揺動材１９は、長穴２３ｄにより設定範囲を揺動可能であるが、揺動材１９によりロックピン１６が最も後方に移動した状態でも、ロックピン１６の前端部はガイド穴２３ｂにはめ込まれた状態に維持されるのがよい（図４）。
【００３７】
揺動材１９は、第二コイルバネ１７により、ロックピン１６をロック穴１５ｃに突入する方向に付勢される。図示例では、第二コイルバネ１７は、一端部がロック穴保有材１５に固定され、他端部が揺動材１９の内、支軸２０よりも軸方向一端側（ロックピン１６側）に取り付けられる。第二コイルバネ１７は、短縮しようとする力で、揺動材１９の一端部（つまりロックピン１６）をロック穴１５ｃに突入する方向へ付勢する。
【００３８】
第二コイルバネ１７の付勢力に対抗して、ロック穴１５ｃからロックピン１６を後退させるように、ロックピン離脱手段（１８）が設けられる。ロックピン離脱手段は、その構成を特に問わないが、本実施例ではソレノイド１８から構成される。本実施例のソレノイド１８は、本体部２４に対しプランジャ２５が進退可能に設けられ、本体部２４のコイルに通電されることで、プランジャ２５を本体部２４へ引き込む構成である。そして、そのプランジャ２５の先端部は、第一コイルバネ２１を介して揺動材１９の他端部に保持される。
【００３９】
このような構成の場合、ソレノイド１８に通電しない状態では、プランジャ２５の引き込み力がないので、第二コイルバネ１７により、ロックピン１６がロック穴１５ｃに突入する方向に付勢される。なお、この際、ソレノイド１８は、本体部２４からプランジャ２５が突出することになる。一方、ソレノイド１８に通電すると、第二コイルバネ１７の付勢力に対抗して、本体部２４へプランジャ２５が引き込まれ、揺動材１９の他端部がソレノイド１８側に移動し、それに伴い、ロック穴１５ｃからロックピン１６が抜ける方向に移動する。
【００４０】
なお、ソレノイド１８への通電時に万一、プランジャ２５を本体部２４へ引き込めないと、ソレノイド１８が過熱するおそれがある。ところが、本実施例では、揺動材１９とプランジャ２５とを第一コイルバネ２１で接続したので、ソレノイド１８への通電時、少なくともプランジャ２５を確実に本体部２４へ引き込むことができ、ソレノイド１８の過熱を防止することができる。
【００４１】
ところで、ロック穴保有材１５には、ロック穴１５ｃへのロックピン１６の突入を防止するロック防止板２６が設けられている。具体的には、図３および図４に示すように、ロック穴保有材１５の第一片１５ａの背面には、略矩形板状のロック防止板２６が重ね合わされるように、保持ピン２７にて保持されている。保持ピン２７は、ロック穴１５ｃの上方位置に設けられ、前後方向へ沿って配置される。そして、その保持ピン２７まわりに回動自在に、ロック防止板２６が設けられている。通常、ロック防止板２６は、図３において破線で示すように、自重により下方へ垂下した状態とされ、その状態では、ロック穴１５ｃの開口部がロック防止板２６で塞がれる。一方、ハンドル操作により、図３において二点鎖線で示すように、ロック防止板可動材２８により、ロック防止板２６を保持ピン２７まわりに押し上げることができ、その状態では、ロック穴１５ｃが開口される。
【００４２】
すなわち、ドア２側には、ハンドル操作で回動するロック防止板可動材２８が設けられている。本実施例のロック防止板可動材２８は、略矩形板状であり、ハンドル３の操作に伴い、ハンドル３と一体に、ハンドル３の軸３ａまわりに回動する。具体的には、図３において、実線で示すように、ハンドル３がドア開放可能位置にある状態では、破線で示すように、ロック防止板可動材２８は、ドア２内に収納された状態にある。そして、二点鎖線で示すように、ハンドル３をドア閉鎖締付位置へ回すと、それに連動して、ロック防止板可動材２８がハンドル３と一体に軸３ａまわりに回転して、ドア２の先端面のスリット２ｃ（図１）や基板１４のスリット（図示省略）から上方へ突出して、ロック防止板２６を押し上げて、ロック穴１５ｃを開口させる。
【００４３】
以上から明らかなとおり、ドア２を閉じた状態で、ハンドル３がドア開放可能位置にあると、ロック穴１５ｃはロック防止板２６で閉塞されている（なおソレノイド１８は通常通電停止状態にある）。従って、ロックピン１６は、ロック穴１５ｃへ突入することができない。一方、ハンドル３をドア閉鎖締付位置まで回すと、上述したように、ドア２側のロック防止板可動材２８が、洗浄槽本体４側のロック防止板２６を可動させて、ロック穴１５ｃを開口させる。従って、ロックピン１６は、ロック穴１５ｃへ突入してはめ込まれる。一旦、この状態になると、ソレノイド１８に通電してロックピン１６を後退させない限り、ロック穴１５ｃへのロックピン１６のはめ込み状態を解除することはできず、ハンドル３をドア開放可能位置へ戻すことが防止される。つまり、ハンドル３をドア閉鎖締付位置にすると、その状態が、ロック穴１５ｃへのロックピン１６の突入により、機械的に維持されることになる。言い換えれば、ハンドル３をドア閉鎖締付位置にロックすることができ、ひいてはドア２の開放操作を機械的に規制できる。その後、ロックを解除したい場合には、所定の操作により（たとえば所定のボタン操作で制御手段に指示することにより）ソレノイド１８に一時的に通電すれば、ロック穴１５ｃからロックピン１６が抜かれるので、ハンドル３をドア開放可能位置まで戻せばよい。
【００４４】
なお、基板１４上には、ロック穴保有材１５よりも手前側に、ロック穴１５ｃへのロックピン１６の突入状態の有無を検知するハンドルロック検知手段（２９）が設けられている。ハンドルロック検知手段は、特に問わないが、本実施例ではリミットスイッチ２９から構成される。
【００４５】
図４に示すように、ドア２を閉じた状態で、ハンドル３がドア開放可能位置にあると、前述したように、ロックピン１６はロック穴１５ｃに突入しない。図４では、ソレノイド１８に通電中の状態を示しているが、通常、ソレノイド１８への通電は停止状態にある。ソレノイド１８への通電を停止中には、第二コイルバネ１７によりロックピン１６が前方へ移動するが、ロック防止板２６によりロックピン１６のロック穴１５ｃへの突入が防止される。それ故、リミットスイッチ２９のレバー２９ａは押し込まれていない。
【００４６】
一方、図５に示すように、ハンドル３をドア閉鎖締付位置にすると、前述したように、ロック防止板可動材２８がロック防止板２６を押し上げてロック穴１５ｃを開口させ、それに伴い、ロック穴１５ｃにロックピン１６が突入して、ハンドル３ひいてはドア２のロック状態が維持される。そして、その状態では、ロックピン１６の先端部がリミットスイッチ２９のレバー２９ａを押し込むので、ロック状態を検知することができる。このようにして、リミットスイッチ２９により、ロック穴１５ｃへのロックピン１６の突入状態の有無を検知することができる。
【００４７】
本実施例の洗浄器１は、上述のような構成の洗浄槽（ドア２付きの洗浄槽本体４）の他、いずれも図示しないが、典型的には、洗浄槽内に設けられて洗浄槽内の被洗浄物へ液体を噴射する洗浄ノズルと、洗浄槽内の下部に連接された液貯留部と、この液貯留部への給水手段と、液貯留部からの排水手段と、液貯留部の液体を洗浄ノズルへ循環供給する循環手段と、液貯留部内の液体の有無または水位を検知する水位検出器と、前記各手段を制御する制御手段などを備える。
【００４８】
そして、洗浄槽内に被洗浄物を収容した後、前述のようにして洗浄槽のドア２を気密に閉じてロックした後、所定のスタートボタンを押せばよい。これにより、制御手段の制御により、所定の運転が開始される。具体的な運転内容は、適宜に設定されるが、典型的には、水位検出器が設定水位を検出するまで給水手段により給水した後、循環手段を作動させて、液貯留部内の貯留水を洗浄ノズルへ循環供給して、洗浄ノズルから液体を噴射して、被洗浄物を洗浄する。この際、所望により、薬液供給手段により貯留水（循環水）に薬液を投入したり、加熱手段により貯留水（循環水）を加熱したりしてもよい。そして、所定の終了条件を満たすと、循環を停止して、排水手段により排水する。このような処理を用いて、被洗浄物を洗浄後、同様にして濯ぎ（所望によりさらに除染）を図った後、所望により熱風により乾燥可能とされる。この乾燥を実施可能とする場合、洗浄器１には、洗浄槽内へ空気を送り込む送風機と、その空気を加熱するヒータとが設けられる。
【００４９】
なお、上述のようなジェット洗浄に代えてまたはそれに加えて、洗浄槽の下部に超音波振動子を設けておき、被洗浄物を浸漬（水没）するまで洗浄槽内に水を貯留した状態で、超音波振動子を作動させて、被洗浄物を超音波洗浄可能としてもよい。この場合も、所望により、貯留水に薬液を投入したり、貯留水を加熱したりしてもよい。
【００５０】
ところで、ドアロック検知用のリミットスイッチ（第一リミットスイッチ）１３や、ハンドルロック検知用のリミットスイッチ（第二リミットスイッチ）２９の他、ソレノイド１８は、制御手段（この制御手段は前述した洗浄運転用のものと共通でも異なってもよい）に接続されている。そして、制御手段は、第一リミットスイッチ１３によりドア２のロックの有無を監視したり、第二リミットスイッチ２９によりハンドル３のロックの有無を監視したりする他、ソレノイド１８に通電してロックを解除可能とする。
【００５１】
また、制御手段は、第二リミットスイッチ２９によるロック穴１５ｃへのロックピン１６の突入状態の検知を条件に、洗浄槽内の被洗浄物の洗浄運転を開始可能とする。つまり、洗浄槽内への給水（給水手段の作動）、または洗浄槽内における噴射（循環手段の作動）は、第二リミットスイッチ２９によるロック穴１５ｃへのロックピン１６の突入状態の検知を条件とするのがよい。より好ましくは、第一リミットスイッチ１３によるバー嵌合穴１１ｃへの締付バー８の突入状態の検知と、第二リミットスイッチ２９によるロック穴１５ｃへのロックピン１６の突入状態の検知との双方を条件に、洗浄運転の開始を許容するのがよい。
【００５２】
さらに制御手段は、水位検出器により液貯留部内に液体を検知中、および／または、循環手段が作動中、ロックピン離脱手段を作動不能とする（つまりソレノイド１８への通電を規制する）のがよい。これにより、液貯留部内に液体があるか、および／または、循環手段が作動中であるときには、ドア閉鎖締付状態が不意に解除されるのが防止される。なお、このような制御、つまり運転中の水有りと循環ポンプの作動中のときにはソレノイド１８への通電を遮断する制御は、洗浄器１の運転用の主回路とは別の外部回路（シーケンサを介さない回路）とするのが一層好ましい。また、循環手段が作動中か否かは、循環ポンプの発停を把握する以外に、たとえば循環管路に設けた圧力スイッチ（管内圧力で循環の有無を検知する圧力スイッチ）により検知することもできる。
【００５３】
本発明の洗浄器１は、前記実施例の構成（制御を含む）に限らず、適宜変更可能である。特に、以下の構成を備えるのであれば、その他の構成は適宜に変更可能である。
（ａ）被洗浄物を収容して液体を用いて洗浄する洗浄槽本体４
（ｂ）洗浄槽本体４の開口部４ａを開閉する開き戸状のドア２であり、洗浄槽本体４の開口部４ａの一端側にドア基端部が回動自在に保持されたドア２
（ｃ）ドア先端部の外面に設けられて、ドア面と直交方向へ沿う軸３ａまわりに設定範囲を回動可能で、ドア開放可能位置とドア閉鎖締付位置とを切り替えるハンドル３
（ｄ）洗浄槽本体４の開口部４ａの他端側に設けられ、ロック穴１５ｃを有するロック穴保有材１５
（ｅ）ロック穴１５ｃに進退可能にはめ込まれるロックピン１６
（ｆ）ロックピン１６をロック穴１５ｃに突入する方向に付勢する付勢部材１７
（ｇ）付勢部材１７の付勢力に対抗して、ロック穴１５ｃからロックピン１６を後退させるロックピン離脱手段１８
（ｈ）ロック穴１５ｃへのロックピン１６の突入を防止するロック防止板２６
（ｉ）ドア２を閉じた状態でハンドル３をドア閉鎖締付位置まで回すことで、ロック防止板２６を移動させて、ロック穴１５ｃへのロックピン１６の突入を許容し、ロック穴１５ｃに突入されたロックピン１６によりドア開放可能位置への戻りが防止されるロック防止板可動材２８
【００５４】
たとえば、前記実施例では、ドアロック機構（バー嵌合穴１１ｃへの締付バー８のはめ込み）とハンドルロック機構（ロック穴１５ｃへのロックピン１６のはめ込み）とを設けたが、少なくともハンドルロック機構を備えればよく、場合により、ドアロック機構を省略してもよい。
【００５５】
また、前記実施例では、ドア２は、洗浄槽本体４の開口部４ａの下端部まわりに回動可能に設けたが、洗浄槽本体４の開口部４ａの一側端部まわりに回動可能に設けてもよい。
【００５６】
また、前記実施例において、ロック防止板２６は、ロック穴１５ｃへのロックピン１６の突入を防止できれば足り、その具体的手法は適宜に変更可能である。そのため、場合により、ロック防止板２６は、文字通りの板状に限らず、その他の形状の部材でもよい。その点では、ロック防止板２６をロック防止材２６ということもできる。
【００５７】
また、前記実施例では、ドア２は、洗浄槽本体４の正面にのみ設けられたが、洗浄槽本体４の正面および背面の双方に設けられてもよい。その場合も、各ドア２について、ドア２およびハンドル３の各ロック機構とその検知手段が設けられるのがよい。そして、両方のドア２についてのドア２およびハンドル３の各ロックの検知を条件に、洗浄運転を開始するのがよい。また、水位検出器により液貯留部内に液体を検知中、および／または、循環手段が作動中、前後の各ドア２の双方について、各ロックピン離脱手段１８を作動不能とするのがよい。
【００５８】
さらに、前記実施例では、被洗浄物に液体を噴射して洗浄する洗浄器１に適用した例について説明したが、洗浄のための構成および工程は、従来公知の各種のものを適用することができる。
【符号の説明】
【００５９】
１  洗浄器
２  ドア
３  ハンドル
３ａ  軸
３ｂ  把持部
４  洗浄槽本体
４ａ  開口部
８  締付バー
１１  バー受け材
１１ｃ  バー嵌合穴
１３  リミットスイッチ（ドアロック検知手段）
１５  ロック穴保有材
１５ｃ  ロック穴
１６  ロックピン
１７  第二コイルバネ（付勢部材）
１８  ソレノイド（ロックピン離脱手段）
１９  揺動材
２０  支軸
２１  第一コイルバネ
２４  本体部
２５  プランジャ
２６  ロック防止板
２８  ロック防止板可動材
２９  リミットスイッチ（ハンドルロック検知手段）
【図１】
0006519743.tif 000002
【図２】
0006519743.tif 000003
【図３】
0006519743.tif 000004
【図４】
0006519743.tif 000005
【図５】
0006519743.tif 000006